(57)【要約】【課題】更新情報を効率的に取得できる快適な更新情報表示環境の提供【解決手段】更新情報管理サーバ３では、各Ｗｅｂサーバ２の情報コンテンツの更新情報を取得する更新情報取得部３ｂと、取得した更新情報を一覧表示した更新情報一覧コンテンツ３ｄを作成する更新情報一覧コンテンツ作成部３ｃとが設けられ、クライアント４には、更新情報管理サーバ３にて作成される更新情報一覧コンテンツ３ｄを一定時間毎に取得する一覧コンテンツ取得部４ａと、取得した更新情報一覧コンテンツ３ｄの更新有無を検知する一覧コンテンツ更新検知部４ｄと、ここで更新有りと検知された場合に当該更新情報一覧コンテンツ３ｄをクライアント４の画面上にポップアップ表示させるポップアップ表示部４ｅとが設けられている。【選択図】  図１
2004246822.tif 000002
【特許請求の範囲】
【請求項１】
利用者の使用するクライアントと、該クライアントに情報コンテンツを提供するＷｅｂサーバと、各Ｗｅｂサーバの情報コンテンツの更新情報を一括管理し、新規の更新情報が確認された場合に当該新規更新情報を各クライアントに提供する更新情報管理サーバとが、ネットワークに接続されて相互に通信可能に構成され、
前記更新情報管理サーバは、前記各Ｗｅｂサーバの情報コンテンツの更新情報を取得する更新情報取得部と、該更新情報取得部にて取得した更新情報をまとめて一覧表示した更新情報一覧コンテンツを作成する更新情報一覧コンテンツ作成部とを有し、
前記クライアントは、前記更新情報管理サーバにて作成される更新情報一覧コンテンツを当該更新情報管理サーバから一定時間毎に取得する一覧コンテンツ取得部と、取得した更新情報一覧コンテンツの更新有無を検知する一覧コンテンツ更新検知部と、取得した更新情報一覧コンテンツが更新有りと検知された場合に当該更新情報一覧コンテンツをクライアントの表示画面上にポップアップ表示させるポップアップ表示部とを有することを特徴とする更新情報表示システム。
【請求項２】
前記クライアントは、前記一覧コンテンツ取得部にて取得した更新情報一覧コンテンツの全データを格納する一覧コンテンツ格納部を備え、前記一覧コンテンツ更新検知部が、今回取得した更新情報一覧コンテンツデータと、前記一覧コンテンツ格納部に格納済の更新情報一覧コンテンツデータとのデータ内容を比較することによって更新情報一覧コンテンツのデータが更新されたか否かを検知することを特徴とする請求項１に記載の更新情報表示システム。
【請求項３】
前記一覧コンテンツ更新検知部は、取得した更新情報一覧コンテンツの最終更新時刻に予め設定されている取得間隔時間を加えて算出される算出時刻と、更新情報一覧コンテンツ取得時の時刻である現在時刻とを比較することによって更新情報一覧コンテンツのデータが更新されたか否かを検知することを特徴とする請求項１に記載の更新情報表示システム。
【請求項４】
前記更新情報管理サーバは、予め前記各Ｗｅｂサーバのアドレスが格納されたアドレス格納部を備えており、当該アドレス格納部に格納されるアドレスに基づいて一定時間おきに前記更新情報取得部が各Ｗｅｂサーバに順次アクセスし、各Ｗｅｂサーバの情報コンテンツの更新情報を自動取得することを特徴とする請求項１，２又は３の何れかに記載の更新情報表示システム。
【請求項５】
前記更新情報取得部が自動取得する時間間隔は、クライアントに予め設定されている取得間隔時間よりも短く設定されていることを特徴とする請求項４に記載の更新情報表示システム。
【請求項６】
前記更新情報管理サーバや各Ｗｅｂサーバにおける更新情報は、当該更新情報の内容により予め重要度が設定され、前記更新情報管理サーバの更新情報一覧コンテンツ作成部が、その重要度に応じて更新情報一覧コンテンツに更新情報を掲載することを特徴とする請求項１，２，３，４又は５の何れかに記載の更新情報表示システム。
【発明の詳細な説明】
【０００１】
【発明の属する技術分野】
本発明は、ネットワーク上の情報コンテンツの更新を検知し、検知した更新情報を各利用者のマシンに表示して通知する更新情報表示システムに関するものである。
【０００２】
【従来の技術】
従来、ネットワーク上の情報コンテンツの更新状況を検知し、その更新情報や更新内容を各利用者の端末で効率的に受信することを可能としているシステムとして、次の先行技術文献に係る発明がある。
【０００３】
【特許文献１】
特開２００１−３５０６６７号公報
【０００４】
上記先行技術文献に係る発明は、データ更新通知サーバーがネットワーク上の指定された情報コンテンツを所定の周期で巡回し、データの更新が検知された時、その旨をデータ更新通知サーバーがデータ受信端末へ通知するというものである。そしてこの発明によれば、データ受信端末を使用するユーザは、データが更新されるまで情報コンテンツに何度もアクセスする必要がなくなり、データの更新通知を受けた後にその情報コンテンツにアクセスすれば更新されたデータを効率的に受信することができるようになる。
【０００５】
【発明が解決しようとする課題】
ここで、例えば企業内の各部署が当該部署毎の情報コンテンツを管理し、各部署がそれぞれ他部署の従業員に対して最新の情報を提供するような場合において、上記従来技術を適用することは可能である。
【０００６】
しかしながら、上述のような場合に上記従来技術を適用した場合、情報コンテンツの誤記訂正などの些細な修正箇所についても当該情報コンテンツの更新として検知され、その都度、各利用者の端末に更新情報として頻繁に報知されてしまう状態が起こり得る。このように、不必要な更新情報まで頻繁に報知されるとなると、各利用者はその都度不必要な情報に目を通さねばならないため、利便性の向上どころか、却って煩わしさや不快感を覚えることになりかねない。
【０００７】
そこで本発明の目的は、上記課題を解決し、各利用者が手間と時間を掛けることなく、各利用者にとって有用な更新情報を効率的に取得することができる更新情報表示システムを提供することにある。
【０００８】
【課題を解決するための手段】
上記目的を達成するため、本発明の更新情報表示システムは、利用者の使用するクライアントと、該クライアントに情報コンテンツを提供するＷｅｂサーバと、各Ｗｅｂサーバの情報コンテンツの更新情報を一括管理し、新規の更新情報が確認された場合に当該新規更新情報を各クライアントに提供する更新情報管理サーバとが、ネットワークに接続されて相互に通信可能に構成されており、前記更新情報管理サーバが、前記各Ｗｅｂサーバの情報コンテンツの更新情報を取得する更新情報取得部と、該更新情報取得部にて取得した更新情報をまとめて一覧表示した更新情報一覧コンテンツを作成する更新情報一覧コンテンツ作成部とを有し、且つ前記クライアントが、前記更新情報管理サーバにて作成される更新情報一覧コンテンツを当該更新情報管理サーバから一定時間毎に取得する一覧コンテンツ取得部と、取得した更新情報一覧コンテンツの更新有無を検知する一覧コンテンツ更新検知部と、取得した更新情報一覧コンテンツが更新有りと検知された場合に当該更新情報一覧コンテンツをクライアントの表示画面上にポップアップ表示させるポップアップ表示部とを有するものである。
【０００９】
また本発明の更新情報表示システムにおいて、前記クライアントが、前記一覧コンテンツ取得部にて取得した更新情報一覧コンテンツの全データを格納する一覧コンテンツ格納部を備え、且つ前記一覧コンテンツ更新検知部が、今回取得した更新情報一覧コンテンツデータと、前記一覧コンテンツ格納部に格納済の更新情報一覧コンテンツデータとのデータ内容を比較することによって更新情報一覧コンテンツのデータが更新されたか否かを検知するようにしても良く、あるいは前記一覧コンテンツ更新検知部が、取得した更新情報一覧コンテンツの最終更新時刻に予め設定されている取得間隔時間を加えて算出される算出時刻と、更新情報一覧コンテンツ取得時の時刻である現在時刻とを比較することによって更新情報一覧コンテンツのデータが更新されたか否かを検知するようにしても良い。
【００１０】
さらに本発明の更新情報表示システムにおいて、前記更新情報管理サーバが、予め前記各Ｗｅｂサーバのアドレスが格納されたアドレス格納部を備えており、当該アドレス格納部に格納されるアドレスに基づいて一定時間おきに前記更新情報取得部が各Ｗｅｂサーバに順次アクセスし、各Ｗｅｂサーバの情報コンテンツの更新情報を自動取得するようにしても良い。尚、前記更新情報取得部が自動取得する時間間隔を、クライアントに予め設定されている取得間隔時間よりも短く設定すると一層良い。
【００１１】
また上述の更新情報表示システムにおいて、前記更新情報管理サーバや各Ｗｅｂサーバにおける更新情報には、当該更新情報の内容により予め重要度が設定され、前記更新情報管理サーバの更新情報一覧コンテンツ作成部が、その重要度に応じて更新情報一覧コンテンツに更新情報を掲載するようにしても良い。
【００１２】
【発明の実施の形態】
以下、本発明の一実施形態に係る更新情報表示システム１について、図面を参照して説明する。図１は本発明の一実施形態に係る更新情報表示システム１の構成図である。また、図２は本実施形態の更新情報表示システム１におけるアドレス格納部３ａの格納済データの構成図、図３は本実施形態において時間間隔設定変更時に表示される時間間隔のメニューオプションウィンドウの一例を示す図である。
【００１３】
［更新情報表示システムの構成］
本実施形態に係る更新情報表示システム１は、図１のように、情報コンテンツを提供するＷｅｂサーバ２と、各Ｗｅｂサーバ２の情報コンテンツの更新情報を一括管理し、新規の更新情報が確認された場合に当該新規更新情報を各クライアントに提供する更新情報管理サーバ３と、利用者の使用するクライアント４とが、ＷＡＮ（Ｗｉｄｅ  Ａｒｅａ  Ｎｅｔｗｏｒｋ）やＬＡＮ（Ｌｏｃａｌ  Ａｒｅａ  Ｎｅｔｗｏｒｋ）等といったネットワーク５に接続され、相互に通信可能に構成されている。尚、前記ネットワーク５には二台のＷｅｂサーバ２と一台のクライアント４とが接続されているが、前記Ｗｅｂサーバ２および前記クライアント４の台数はこれに限定されるものではない。以下、本実施形態に係る更新情報表示システム１における各構成要素について説明する。
【００１４】
［Ｗｅｂサーバ］
前記Ｗｅｂサーバ２は、各Ｗｅｂサーバ２がネットワーク５を介して各クライアント４に提供する情報コンテンツ２ａ〜２ｃを、図１のようにそれぞれ有している。
【００１５】
［更新情報管理サーバ］
前記更新情報管理サーバ３は、予め前記各Ｗｅｂサーバ２のアドレスが格納されたアドレス格納部３ａと、前記各Ｗｅｂサーバ２の情報コンテンツの更新情報を取得する更新情報取得部３ｂと、取得した更新情報をまとめて一覧表示した更新情報一覧コンテンツ３ｄを作成する更新情報一覧コンテンツ作成部３ｃとを有している。
【００１６】
ここで前記アドレス格納部３ａに格納済のデータは、例えば図２のように、「各Ｗｅｂサーバにおける情報コンテンツの名称」項目および「各情報コンテンツのアドレス」項目から成るものである。
【００１７】
［クライアント］
前記クライアント４は、前記更新情報管理サーバ３の更新情報一覧コンテンツ３ｄを当該更新情報管理サーバ３から取得する一覧コンテンツ取得部４ａと、取得した更新情報一覧コンテンツ３ｄの全データを格納する一覧コンテンツ格納部４ｂと、このクライアント４に内蔵されたタイマー（図示せず）を監視し且つ前記一覧コンテンツ取得部４ａを一定時間毎に起動させる制御を行うタイマー監視部４ｃと、取得した更新情報一覧コンテンツ３ｄの更新有無を検知する一覧コンテンツ更新検知部４ｄと、取得した更新情報一覧コンテンツ３ｄが更新有りと検知された場合にこの更新情報一覧コンテンツ３ｄをクライアント４の表示画面上にポップアップ表示させるポップアップ表示部４ｅとを有している。
【００１８】
ここで、前記タイマー監視部４ｃが一覧コンテンツ取得部４ａを起動させる時間の周期（更新情報一覧コンテンツの取得間隔時間）は、各クライアント４の管理者が画面上で設定できるようになっている。具体的には、例えば図３のように画面上に表示される時間間隔のメニューオプションウィンドウにおいて、各クライアント４の管理者がプルダウンメニューより任意の時間を選択することによって、起動間隔時間を任意に設定，変更できるようになっている。尚、本実施形態では標準起動間隔を６０分としている。また、管理者が停止を選択した場合には、当該クライアント４における更新情報表示処理は行われなくなる。
【００１９】
［更新情報表示システムによる処理手順］
次に、以上のような構成の更新情報表示システム１による処理手順について、図面を参照して以下説明する。図４は本実施形態に係る更新情報表示システム１の処理手順を説明するための図である。
【００２０】
まず、本実施形態に係る更新情報表示システム１のクライアント４において、タイマー監視部４ｃが作動し、上述のように設定済の一定時間が経過した後に、一覧コンテンツ取得部４ａを起動させる（ＳＴ１）。
【００２１】
次に、起動した一覧コンテンツ取得部４ａは、更新情報管理サーバ３の更新情報一覧コンテンツを読み込む（ＳＴ２）。そして一覧コンテンツ更新検知部４ｄが、今回取得した更新情報一覧コンテンツのデータと、一覧コンテンツ格納部４ｂに格納済の更新情報一覧コンテンツのデータとを比較して、一定時間内に更新情報一覧コンテンツのデータが更新されたか否かを確認する（ＳＴ３）。尚、図４に示す処理状況では、ＳＴ３の処理において更新情報一覧コンテンツのデータ更新は検知されない。
【００２２】
ＳＴ３の処理後も引き続いてタイマー監視部４ｃは作動を継続しており、前回の一覧コンテンツ取得部４ａの起動時（図４におけるＳＴ１処理時）から一定時間経過後、再度一覧コンテンツ取得部４ａを起動させる（ＳＴ４）。そして起動した一覧コンテンツ取得部４ａは、更新情報管理サーバ３の更新情報一覧コンテンツを読み込み（ＳＴ５）、一覧コンテンツ更新検知部４ｄが、今回取得した更新情報一覧コンテンツのデータと、一覧コンテンツ格納部４ｂに格納済の更新情報一覧コンテンツのデータとを比較して、一定時間内に更新情報一覧コンテンツのデータが更新されたか否かを確認する（ＳＴ６）。尚、図４に示す処理状況では、ＳＴ６の処理においても更新情報一覧コンテンツのデータ更新は検知されない。
【００２３】
そして、例えば図１におけるＷｅｂサーバ２の管理者が、当該Ｗｅｂサーバ２の情報コンテンツ２ａを更新したとすると（Ｐ１）、この情報コンテンツの更新内容を具体的に示す更新情報が当該Ｗｅｂサーバ２の管理者によって作成され、この更新情報のデータが更新情報管理サーバ３に送信される（Ｐ２）。そして、更新情報管理サーバ３の更新情報取得部３ｂにて更新情報のデータが受信されると、更新情報一覧コンテンツ作成部３ｃによって新たな更新情報一覧コンテンツが作成される（Ｐ３）。
【００２４】
このＰ３の処理について具体的に説明すると、例えば更新情報一覧コンテンツ作成部３ｃが、更新された情報コンテンツのアドレスに基づいてアドレス格納部３ａからコンテンツの名称を検索し、そのコンテンツ名称と、更新情報一覧コンテンツの更新日時と、受信した更新情報のデータとを用いて、例えば図５のような内容の更新情報一覧コンテンツを作成する処理がＰ３で行われる。尚、更新情報一覧コンテンツの更新日時は、更新情報管理サーバ３に内蔵されるタイマー（図示せず）からの情報を更新情報一覧コンテンツ作成部３ｃが用いれば良い。
【００２５】
そして、引き続き作動しているクライアント４のタイマー監視部４ｃが、前回の一覧コンテンツ取得部４ａの起動時から一定時間経過後に、再度一覧コンテンツ取得部４ａを起動させる（ＳＴ７）。そして起動した一覧コンテンツ取得部４ａは、更新情報管理サーバ３の更新情報一覧コンテンツを読み込み（ＳＴ８）、一覧コンテンツ更新検知部４ｄが、今回取得した更新情報一覧コンテンツのデータと、一覧コンテンツ格納部４ｂに格納済の更新情報一覧コンテンツのデータとのデータ内容を比較して、一定時間内に更新情報一覧コンテンツのデータが更新されたか否かを確認する（ＳＴ９）。
【００２６】
ここで、図１に示す更新情報表示システム１では、今回取得した更新情報一覧コンテンツのデータと、一覧コンテンツ格納部４ｂに格納済の更新情報一覧コンテンツのデータとの間に新規更新情報の分だけデータ内容の差異があるため、図４の場合には、一覧コンテンツ更新検知部４ｄにおける処理により、更新情報一覧コンテンツのデータ更新が検知されることとなる。
【００２７】
こうして一覧コンテンツ更新検知部４ｄが更新情報一覧コンテンツのデータ更新を検知すると、ポップアップ表示部４ｅが起動し（ＳＴ１０）、ＳＴ８の処理において取得した更新情報一覧コンテンツをクライアント４の表示画面上にポップアップ表示させる（ＳＴ１１）。尚、このポップアップ表示部４ｅが、取得した更新情報一覧コンテンツと共に音声コンテンツをポップアップ表示させるようにすることで、クライアント４の利用者は音声により、更新情報一覧コンテンツが更新されたことを認識できるようになる。
【００２８】
尚、本実施形態では、一覧コンテンツ更新検知部４ｄによる更新検知処理は、上述の如く今回取得した更新情報一覧コンテンツのデータと、一覧コンテンツ格納部４ｂに格納済の更新情報一覧コンテンツのデータとのデータ内容の比較により行われるが、次のようにして更新情報一覧コンテンツの更新有無を検知しても良い。以下、一覧コンテンツ更新検知部４ｄにおける他の検知処理手順パターンについて、図６を参照して説明する。
【００２９】
まず一覧コンテンツ更新検知部４ｄは、クライアント４に内蔵されるタイマー（図示せず）から現在時刻（更新情報一覧コンテンツ取得時の時刻）を取得し（ステップＳＴ２１）、次に、取得した更新情報一覧コンテンツのデータから最終の更新時刻を取得する（ステップＳＴ２２）。
【００３０】
続いて一覧コンテンツ更新検知部４ｄは、取得した更新情報一覧コンテンツの最終更新時刻にタイマー監視部４ｃに設定済の取得間隔時間を加えることで算出される算出時刻と、取得した現在時刻とを比較し（ステップＳＴ２３）、この算出時刻が現在時刻より遅い時刻となっていれば、取得した更新情報一覧コンテンツのデータは更新有りと判断される（ステップＳＴ２４）。こうして更新有りと判断されると、図４に示すようにポップアップ表示部４ｅが起動し（ＳＴ１０）、取得した更新情報一覧コンテンツがクライアント４の表示画面上にポップアップ表示されることとなる（ＳＴ１１）。
【００３１】
一方、算出時刻が現在時刻より早い時刻となっていれば、取得した更新情報一覧コンテンツは以前の取得時以降、更新されていないと判断され（ステップＳＴ２５）、一覧コンテンツ更新検知部４ｄにおける処理は終了となる。
【００３２】
尚、上記実施形態において、更新情報管理サーバ３が、他のＷｅｂサーバ２と同様に、当該更新情報管理サーバ３よりクライアント４に独自に提供する情報コンテンツを備えていても良い。この場合には、図４のＰ１の処理において当該更新情報管理サーバ３の情報コンテンツを更新し、この情報コンテンツの更新内容を具体的に示す更新情報を当該更新情報管理サーバ３の管理者が作成すると、この作成された更新情報データをＰ２の処理において更新情報取得部３ｂが取得し、この更新情報データに基づいて更新情報一覧コンテンツ作成部３ｃが新たな更新情報一覧コンテンツを作成する。こうして、更新情報管理サーバ３が独自の情報コンテンツを備えている場合でも、上記実施形態に係る更新情報表示システム１を適用することができる。
【００３３】
［第二実施形態］
また、上記第一実施形態に係る更新情報表示システム１では、各Ｗｅｂサーバ２の管理者から情報コンテンツの更新情報に関するデータが送信される構成となっているが、第二実施形態に係る更新情報表示システムとして、更新情報管理サーバ３のアドレス格納部３ａに格納されるアドレスに基づいて、一定時間おきに更新情報取得部３ｂが各Ｗｅｂサーバ２に順次アクセスして各Ｗｅｂサーバ２の更新情報を自動取得するようにしても良い。ここで、更新情報管理サーバ３が独自の情報コンテンツを備えている場合には、当該更新情報管理サーバ３の管理者により作成された更新情報データを更新情報取得部３ｂが自動取得することとなる。尚、この各Ｗｅｂサーバ２に順次アクセスする時間間隔は、管理者が更新情報取得部３ｂに任意設定可能である。
【００３４】
以上のように、更新情報取得部３ｂが各Ｗｅｂサーバ２に順次アクセスして、あるいは当該更新情報管理サーバ３から、各サーバ２，３の更新情報を自動取得することで、各サーバ２，３の管理者は更新情報を随時作成しておくだけで良く、特に各Ｗｅｂサーバ２の管理者は、わざわざ更新情報管理サーバ３に送信する手間が省ける。
【００３５】
尚、このように更新情報取得部３ｂが一定時間おきに自動取得するという更新情報表示システムの場合、更新情報取得部３ｂが自動取得する時間間隔を、クライアント４のタイマー監視部４ｃの設定時間間隔よりも短く設定しておくことで、更新情報一覧コンテンツの最新の更新情報をより効率的に取得することが可能となる。
【００３６】
［第三実施形態］
また上記第一および第二実施形態に係る更新情報表示システムにおいて、更新情報管理サーバ３や各Ｗｅｂサーバ２の管理者は、各管理者の作成する更新情報に予め重要度を設定しておき、更新情報管理サーバ３の更新情報一覧コンテンツ作成部３ｃは、その重要度に応じて更新情報一覧コンテンツ３ｄに更新情報を掲載するようにしても良い。
【００３７】
具体的に説明すると、各管理者は、例えば、全クライアントが内容確認をするべき更新情報はＡランク，一部のクライアントに関係する更新情報はＢランク，誤記訂正に関する更新情報はＣランク，というように、各更新情報の重要度に応じて各更新情報のランク付けをしておく。さらに、例えば更新情報一覧コンテンツ作成部３ｃに「ＡランクあるいはＢランクの更新情報のみを更新情報一覧コンテンツに表示する」旨を設定しておく。そして、以上のように設定された更新情報表示システムにおいて、更新情報取得部３ｂが各サーバ２，３から更新情報を取得後、取得した全更新情報の内のＡ，Ｂランクの更新情報のみを更新情報一覧コンテンツ作成部３ｃが抽出し、更新情報一覧コンテンツ３ｄに掲載する処理を行う。
【００３８】
以上のような処理により、重要度の高い更新情報のみが更新情報一覧コンテンツに掲載されるようになり、例えば誤記訂正による更新情報のような重要度の極めて低い更新情報がその都度ポップアップ表示されることがなくなるため、更新情報を効率的に取得できるようにするばかりでなく、各クライアント４において従来感じることのあった煩わしさや不快感を各利用者に対して与えることを抑制できる。
【００３９】
【発明の効果】
以上説明したように、本発明の更新情報表示システムによれば、各クライアントにおいて更新情報の一覧コンテンツが自動的にポップアップ表示されるため、各利用者はデータが更新されるまで情報コンテンツを何回もアクセスするという手間と時間を掛けることがなくなり、更新情報を効率的に取得することができるようになる。
【００４０】
また本発明の更新情報表示システムによれば、前記更新情報一覧コンテンツには、重要度の高い内容の更新情報のみを掲載させることができるようになるため、従来のように不必要な更新情報まで頻繁に報知されることで各利用者に煩わしさや不快感を与えることもなくなり、快適な更新情報表示の環境を提供することが可能となる。
【図面の簡単な説明】
【図１】本発明の第一実施形態に係る更新情報表示システムの構成図である。
【図２】第一実施形態の更新情報表示システムにおけるアドレス格納部の格納済データの構成図である。
【図３】第一実施形態において時間間隔設定変更時に表示される時間間隔のメニューオプションウィンドウの一例を示す図である。
【図４】第一実施形態に係る更新情報表示システムの処理手順を説明するための図である。
【図５】第一実施形態において作成，表示される更新情報一覧コンテンツの一例を示す図である。
【図６】第一実施形態に係る更新情報表示システムの一覧コンテンツ更新検知部における他の検知処理手順パターンを示すフローチャートである。
【符号の説明】
１…更新情報表示システム、２…Ｗｅｂサーバ、２ａ〜２ｃ…情報コンテンツ、３…更新情報管理サーバ、３ａ…アドレス格納部、３ｂ…更新情報取得部、３ｃ…更新情報一覧コンテンツ作成部、３ｄ…更新情報一覧コンテンツ、４…クライアント、４ａ…一覧コンテンツ取得部、４ｂ…一覧コンテンツ格納部、４ｃ…タイマー監視部、４ｄ…一覧コンテンツ更新検知部、４ｅ…ポップアップ表示部、５…ネットワーク。
【図１】
2004246822.tif 000003
【図２】
2004246822.tif 000004
【図３】
2004246822.tif 000005
【図４】
2004246822.tif 000006
【図５】
2004246822.tif 000007
【図６】
2004246822.tif 000008